(57)【要約】【課題】単一の充電台を用いて携帯型電子機器を介して充電池を充電し、且つ、携帯型電子機器に搭載されていない単体の充電池も充電する。【解決手段】充電台１に装着した際、ポータブルＭＤプレーヤ５０及び単体の充電池６０に接続する電池端子１７及び１８を介してポータブルＭＤプレーヤ５０に搭載された充電池６０及び単体の充電池６０に充電を行う基板ユニット１５と、ポータブルＭＤプレーヤ５０が装着されたか否かを検出した検出結果に基づいて切換スイッチ１５２ａを切り換えて充電用の電力の供給先をポータブルＭＤプレーヤ５０又は単体の充電池６０に切り換えるスイッチコントロール回路１５２ｂとを備える。【選択図】  図６
2006141163.tif 000002
【特許請求の範囲】
【請求項１】
携帯型電子機器が着脱自在に装着される電子機器装着部と、
前記携帯型電子機器に搭載されるべき充電池が装着自在に装着される充電池装着部と、
前記電子機器装着部に装着された前記携帯型電子機器に搭載された前記充電池に該携帯型電子機器を介して充電を行う電子機器電力供給手段と、
前記充電池装着部に装着された前記充電池に充電を行う充電池電力供給手段と、を備えたことを特徴とする充電台。
【請求項２】
前記携帯型電子機器が前記電子機器装着部に装着されたか否か、又は、前記充電池が前記充電池装着部に装着されたか否かを検出する検出手段と、
前記検出手段によって検出された検出結果に応じて、前記電子機器電力供給手段及び前記充電池電力供給手段を択一的に有効にする切換手段と、を備えたことを特徴とする請求項１に記載の充電台。
【請求項３】
携帯型電子機器が着脱自在に装着される電子機器装着部と、
前記携帯型電子機器に搭載されるべき充電池が装着自在に装着される充電池装着部と、
前記電子機器装着部に装着された前記携帯型電子機器及び前記充電池装着部に装着された前記充電池に接続する接続手段を介して、前記電子機器装着部に装着された前記携帯型電子機器に搭載された前記充電池、及び、前記充電池装着部に装着された前記充電池に充電を行う単一の電力供給手段と、
前記携帯型電子機器が前記電子機器装着部に装着されたか否か、又は、前記充電池が前記充電池装着部に装着されたか否かを検出する検出手段と、
前記検出手段によって検出された検出結果に応じて、前記接続手段の接続を、前記電子機器電力供給手段又は前記充電池電力供給手段に択一的に切り換える切換手段と、を備えたことを特徴とする充電台。
【請求項４】
前記電子機器装着部に装着された前記携帯型電子機器に搭載された前記充電池、及び、前記充電池装着部に装着された前記充電池の充電が完了したか否かを検知する検知手段を備え、
前記検知手段による検知結果に応じて充電状態を表示する表示手段を備えたことを特徴とする請求項１又は３に記載の充電台。
【発明の詳細な説明】
【技術分野】
【０００１】
この発明は、ポータブルミニディスクプレーヤ（以下、ポータブルＭＤプレーヤと言う。）等の携帯型電子機器に搭載される充電池を充電する充電台に関する。
【背景技術】
【０００２】
ポータブルＭＤプレーヤやポータブルＣＤ（コンパクトディスク）プレーヤ等の携帯型電子機器は、着脱自在に搭載された充電池から供給される電力によって動作する。この充電池の充電は、携帯型電子機器を商用電源に接続された充電台に装着することで該携帯電子機器を介して行われる（例えば、特許文献１参照。）。この充電台は、携帯型電子機器を使用しない時等に載置しておくのにも用いられる。
【０００３】
このような携帯型電子機器が広く普及してきた今日では、携帯型電子機器を保有するユーザがスペア用に充電池のみ単品購入する場合や、また充電池は、メーカー、機種を問わず共通なものが使われていることが多く、携帯型電子機器を故障等によって買い替えても当該機器に使用していた充電池を新しい機器に使用する場合もあるため、充電池を複数保有するユーザが年々多くなってきていると考えられる。
【特許文献１】特開２００１−５２７６１公報
【発明の開示】
【発明が解決しようとする課題】
【０００４】
しかしながら、上述の特許文献１の構成では、充電台において携帯型電子機器を介してのみ充電池に充電を行うことができるので、例えば複数の充電池を所有している場合、携帯型電子機器を使用しつつ、搭載されたない単体の充電池を充電することがでず、ユーザにとって非常に不便であった。
【０００５】
また、従来から単体の充電池を装着して充電する充電器があるが、充電台に加えて充電器が別途必要になると、コストが高騰し、またユーザが充電台及び充電器を使い分けなければならないのでユーザにとって不便である。
【０００６】
この発明の目的は、携帯型電子機器を介して充電池を充電するこができ、且つ、携帯型電子機器に搭載されていない単体の充電池も充電することができる単一の充電台を提供することにある。
【課題を解決するための手段】
【０００７】
この発明は、上記の課題を解決するために、以下の構成を備えている。
【０００８】
（１）携帯型電子機器が着脱自在に装着される電子機器装着部と、
前記携帯型電子機器に搭載されるべき充電池が装着自在に装着される充電池装着部と、
前記電子機器装着部に装着された前記携帯型電子機器に搭載された前記充電池に該携帯型電子機器を介して充電を行う電子機器電力供給手段と、
前記充電池装着部に装着された前記充電池に充電を行う充電池電力供給手段と、を備えたことを特徴とする。
【０００９】
この構成においては、電子機器電力供給手段によって携帯型電子機器に搭載された充電池が充電され、且つ、充電池電力供給手段によって携帯型電子機器に搭載されていない単体の充電池が充電される。したがって、例えばユーザが複数の充電池を保有している場合、充電池を搭載した携帯型電子機器を使用している場合であっても、使用していない他の充電池が充電台によって充電される。
【００１０】
（２）前記携帯型電子機器が前記電子機器装着部に装着されたか否か、又は、前記充電池が前記充電池装着部に装着されたか否かを検出する検出手段と、
前記検出手段によって検出された検出結果に応じて、前記電子機器電力供給手段及び前記充電池電力供給手段を択一的に有効にする切換手段と、を備えたことを特徴とする。
【００１１】
この構成においては、携帯型電子機器が電子機器装着部に装着されたか否か、又は、充電池が充電池装着部に装着されたか否かを検出する検出手段によって検出された結果に応じて電子機器電力供給手段及び充電池電力供給手段のどちらか一方が有効にされ、携帯型電子機器に搭載された充電池が充電され、又は、単体の充電池が充電される。
【００１２】
したがって、同時に携帯型電子機器に搭載された充電池、及び、単体の充電池が同時に充電されることがない。
【００１３】
（３）携帯型電子機器が着脱自在に装着される電子機器装着部と、
前記携帯型電子機器に搭載されるべき充電池が装着自在に装着される充電池装着部と、
前記電子機器装着部に装着された前記携帯型電子機器及び前記充電池装着部に装着された前記充電池に接続する接続手段を介して、前記電子機器装着部に装着された前記携帯型電子機器に搭載された前記充電池、及び、前記充電池装着部に装着された前記充電池に充電を行う単一の電力供給手段と、
前記携帯型電子機器が前記電子機器装着部に装着されたか否か、又は、前記充電池が前記充電池装着部に装着されたか否かを検出する検出手段と、
前記検出手段によって検出された検出結果に応じて、前記接続手段の接続を、前記電子機器電力供給手段又は前記充電池電力供給手段に択一的に切り換える切換手段と、を備えたことを特徴とする。
【００１４】
この構成においては、単一の電力供給手段によって携帯型電子機器に搭載された充電池及び携帯型電子機器に搭載されていない単体の充電池が充電される。したがって、複数の電力供給手段を設ける必要がない。
【００１５】
（４）前記電子機器装着部に装着された前記携帯型電子機器に搭載された前記充電池、及び、前記充電池装着部に装着された前記充電池の充電が完了したか否かを検知する検知手段を備え、
前記検知手段による結果に応じて充電状態を表示する表示手段を備えたことを特徴とする。
【００１６】
この構成においては、携帯型電子機器に搭載された充電池及び充電池装着部に装着された充電池の充電が完了した否かの検知結果に応じて充電状態が表示される。したがって、充電池装着部に装着された充電状態を検知する手段を有しない充電池が充電されたか否かが容易にユーザに認識される。
【発明の効果】
【００１７】
この発明によれば、以下の効果を奏することができる。
【００１８】
（１）単一の充電台において携帯型電子機器に搭載された充電池を充電し、且つ、携帯型電子機器に搭載されていない単体の充電池を充電することによって、充電池を搭載した携帯型電子機器を使用していても、使用していない他の充電池を充電することができるので、ユーザの利便性を向上させることができる。
【００１９】
（２）携帯型電子機器が電子機器装着部に装着されたか否か、又は、充電池が充電池装着部に装着されたか否かを検出する検出手段による検出結果に応じて電子機器電力供給手段及び充電池電力供給手段のどちらか一方を有効にすることによって、充電を行う動作を適切に制御することができる。
【００２０】
（３）単一の電力供給手段を用いて携帯型電子機器に搭載された充電池、及び、携帯型電子機器に搭載されていない単体の充電池を充電することによって、コストの高騰を防止することができる。また、構成を単純にでき、サイズアップを抑制できる。
【００２１】
（４）携帯型電子機器に搭載された充電池及び充電池装着部に装着された充電池の充電が完了した否かの検知結果に応じて充電状態を表示することによって、充電池装着部に装着された充電池が充電されたか否かが容易にユーザに認識でき、よりユーザの利便性を向上させることができる。また、充電完了後にすぐにユーザが充電台から取り外すことができるので、充電池の過充電を防ぐことができる。
【発明を実施するための最良の形態】
【００２２】
以下、この発明の最良の実施形態に係る充電台を図面を参照しつつ詳細に説明する。
【００２３】
（第１実施形態）
図１及び図２は、本発明に係る充電台１の構成を示す上面図及び側面断面図である。図３は、本発明に係る充電台１に携帯型電子機器の１つであるポータブルＭＤプレーヤ５０を装着した状態を示す側面断面図である。図４及び図５は、本発明に係る充電台１に充電池６０を装着した状態を示す側面断面図及び正面断面図である。
【００２４】
充電台１は、上ケース１１、下ケース１２及び基板ユニット１５等から構成されている。上ケース１１は、充電台１の上面部分を形成し、電子機器装着部１３及び充電池装着部１４等から構成されている。電子機器装着部１３は、凹形状を呈し、ポータブルＭＤプレーヤ５０を着脱自在に保持し、且つ、装着する際にガイドする。また、電子機器装着部１３には、図３に示すように装着されたポータブルＭＤプレーヤ５０の外部端子６１と接触し、ポータブルＭＤプレーヤ５０と基板ユニット１５とを接続する電池端子１７（本発明の接続手段に相当する。）が備えられている。
【００２５】
充電池装着部１４は、ポータブルＭＤプレーヤ５０に搭載されるべき充電池６０を着脱自在に保持できる。また、充電池装着部１４には、図５に示すように装着された充電池６０と接触し、充電池６０と基板ユニットとを接続する電池端子（本発明の接続手段に相当する。）１８が備えられている。
【００２６】
下ケース１２は、充電台１の下面部分を形成する壁面であり、上ケース１１と接合して筐体を形成する。基板ユニット１５は、上ケース１１と下ケース１２とによって形成された筐体内部に位置し、接続された商用電源から供給される電力を電池端子１７，１８を介して充電池６０に供給して充電を行う。
【００２７】
図６は、基板ユニット１５の簡単な回路構成を示すブロック図である。基板ユニット１５は、電源回路１５１、切換制御回路１５２及び電圧検出回路１５３等から構成され、商用電源９０から供給される交流電圧を直流電圧に変換して充電池６０に供給し、充電池６０の充電を行う。
【００２８】
電源回路１５１は、交流電圧から所望の電圧値の直流電圧を作り出す。また、電源回路１５１は、充電池６０に充電用の電力を供給する制御を行う充電制御回路１５１ａを備えている。充電制御回路１５１ａは、取得した電圧値に基づいてポータブルＭＤプレーヤ５０又は充電池６０が装着されていることを判断して充電用の電力の供給を開始する。充電用の電力が供給されてない状態では、ポータブルＭＤプレーヤ５０に搭載された充電池６０又は充電池６０によって電圧が発生するからである。
【００２９】
また、充電制御回路１５１ａは、取得した電流値に基づいて充電池６０の充電が完了又は中断したことを判断して充電用の電力の供給を停止する。充電池６０が徐々に充電されていくと、電流値は徐々に低下してき、充電が完了すると一定の値となり、またポータブルＭＤプレーヤ５０又は充電池６０が充電台１から取り外されて充電が中断された状態となると、電池端子１７，１７間又は電池端子１８，１８間が断線した状態となると電流は流れなくなるからである。
【００３０】
切換制御回路１５２は、切換スイッチ１５２ａ及びスイッチコントロール回路１５２ｂ等から構成され、電力の供給先を電池端子１７又は１８に択一的に切り換える。
【００３１】
切換スイッチ１５２ａは、電池端子１７に接続される端子Ａ及び電池端子１８に接続される端子Ｂを備えている。電圧検出回路１５３は、電池端子１７，１７間においてポータブルＭＤプレーヤ５０に搭載された充電池６０の電圧値を検出する。また、この発明の検出手段である電圧検出回路１５３は、切換制御回路１５２に接続され、検出した電圧値を出力する。スイッチコントロール回路１５２ｂは、電圧検出回路１５３に接続され、電圧検出回路１５３によって検出される電圧値に応じて切換スイッチ１５２ａを切り換える。
【００３２】
なお、切換スイッチ１５２ａ及びスイッチコントロール回路１５２ｂは、この発明の切換手段に相当する。
【００３３】
図７は、切換スイッチ１５２ａの切換手順を示す流れ図である。まず、切換制御回路１５２は、電圧検出回路１５３によって検出された電圧値を取得する（Ｓ１）。次に、ポータブルＭＤプレーヤ５０が装着されたか否かを判断する（Ｓ２）。具体的には、電圧値がポータブルＭＤプレーヤ５０が装着された際に示される電圧値の範囲内か否かを判断する。Ｓ２において、ポータブルＭＤプレーヤ５０が装着されたと判断するまで、切換スイッチ１５２ａを端子Ｂに接続し（Ｓ３）続ける。つまり、ポータブルＭＤプレーヤ５０の装着時以外は、切換スイッチ１５２ａは端子Ｂに接続された状態となる。
【００３４】
一方、Ｓ２において、ポータブルＭＤプレーヤ５０が装着されたと判断した場合、切換スイッチ１５２ａを端子Ａに接続する（Ｓ４）。次に、充電制御回路１５１ａから充電状態を示す情報を取得し（Ｓ５）、この情報から充電が完了又は中断されたか否かを判断する（Ｓ６）。Ｓ６において、充電中と判断した場合はＳ５の処理に戻り、充電が完了又は中断したと判断した場合はＳ１の処理に戻る。
【００３５】
これによって、ポータブルＭＤプレーヤ５０が充電台１に装着された際は、基板ユニット１５から電池端子１７及びポータブルＭＤプレーヤ５０を介して、ポータブルＭＤプレーヤ５０に搭載されている充電池６０に電力が供給されて充電が行われる。
【００３６】
また、ポータブルＭＤプレーヤ５０が充電台１に装着されてなく、単体の充電池６０が装着されていた際は、基板ユニット１５から電池端子１８を介して充電池６０に電力が供給され、充電が行われる。
【００３７】
したがって、単一の充電台１においてポータブルＭＤプレーヤ５０に搭載された充電池６０を充電し、且つ、ポータブルＭＤプレーヤ５０に搭載されていない単体の充電池６０を充電できるので、例えばユーザが複数の充電池６０を保持してる場合に充電池６０を搭載したポータブルＭＤプレーヤ５０を使用していても、使用していない充電池６０を充電することができるので、ユーザの利便性を向上させることができる。
【００３８】
また、単一の電力供給手段である基板ユニット１５を用いてポータブルＭＤプレーヤ５０に搭載された充電池６０及び単体の充電池６０を充電できるので、コストの高騰を防止することができる。さらに、充電台１の構成を単純にでき、サイズアップを抑制できる、
なお、本実施形態では、ポータブルＭＤプレーヤ５０が搭載されているか否かを検出して切換スイッチ１５２ａの切換を行うことでポータブルＭＤプレーヤ５０に搭載されている受電地６０を優先的に充電してるが、充電池６０が充電池装着部１４に装着されたか否かを判断して切換スイッチ１５２ａの切換を行って単体の充電池６０の充電を優先的に行ってもよい。
【００３９】
（第２実施形態）
本実施形態は、第１実施形態と略同様の構成であるが、図８に示すように充電台１に表示部３０が備えられている。
【００４０】
表示部３０は、充電制御回路１５１ａに接続され、充電台１に装着されたポータブルＭＤプレーヤ５０に搭載された充電池６０及び単体の充電池６０の充電状態を表示する。表示部３０は、本実施形態ではＬＥＤを用いて構成されている。
【００４１】
充電制御回路１５１ａは、充電してない時はＬＥＤを点灯させず、充電開始から充電が完了又は中断するまでの充電中は点滅させ、充電完了後は点灯させる。したがって、充電制御回路１５１ａは、この発明の検知手段に相当する。
【００４２】
従来は充電の電力の供給を制御する充電制御回路や表示部が携帯型電子機器側に設けられていたが、充電台１に設けたことによって充電池装着部１４に装着された単体の充電池６０が充電されたか否かも容易にユーザに認識でき、よりユーザの利便性を向上させることができる。また、充電完了後にすぐにユーザが充電台１から取り外すことができるので、充電池６０の過充電を防ぐことができる。
【００４３】
なお、本実施形態では、単一の電力供給手段である基板ユニット１５を用いてポータブルＭＤプレーヤ５０に搭載された充電池６０及び単体の充電池６０の充電を行っているが、特にこれに限定されるものではなく、複数の電力供給手段を用いても同様の効果を得ることができる。
【００４４】
例えば、図９に示すように、ポータブルＭＤプレーヤ５０に搭載された充電池６０用の基板ユニット１００ａ（本発明の電子機器電力供給手段に相当する。）と、単体の充電池６０用の充電池電力供給手段１００ｂ（本発明の充電池電力供給手段に相当する。）とを充電台１に備えた構成がある。
【００４５】
また、図１０に示すように、基板ユニット１００ａ，１００ｂに加え、使用する基板ユニット１００ａ，１００ｂを択一的に切り換える上述の切換制御回路２００と同様の構成の切換制御回路２００を備えた充電台１に備えた構成がある。これは、上述の実施形態と同様に電圧検出回路１５３によって検出された電圧値に基づいてポータブルＭＤプレーヤ５０が充電台１に装着されているか否かを判断し、装着されていれば切換スイッチ２００ａを端子Ｓに接続し、また装着されていない場合、及び、装着されていても搭載された充電池６０の充電が完了した状態の場合に切換スイッチ２００ａを端子Ｔに接続する。これによって、第１実施形態と同様の効果を得ることができ、またポータブルＭＤプレーヤ５０に搭載された充電池６０、及び、単体の充電池６０を同時に充電することを防止して充電を行う動作を適切に制御できる。
【００４６】
（第３実施形態）
本実施形態は、第１実施形態と略同様の構成であるが、図１１に示すように表示部３０がなく、また基板ユニット１５に電圧検出回路１５４を備えている。さらに、上述の実施形態ではポータブルＭＤプレーヤ５０が充電台１に装着されている間は、単体の充電池６０の充電ができないが、本実施形態ではポータブルＭＤプレーヤ５０に搭載された充電池６０が充電された後であれば、ポータブルＭＤプレーヤ５０が装着されていても単体の充電池６０の充電を行えるように制御している。
【００４７】
しかも、切換スイッチ１５２ａが接続される端子がＡ〜Ｃとなり、充電が行われていない状態においては常に端子Ｃに接続されている。
【００４８】
図１２は、切換スイッチ１５２ａの切換手順を示す流れ図である。まず、切換制御回路１５２は、電圧検出回路１５３によって検出された電圧値を取得し（Ｓ１０）、上述したＳ２の処理と同様にポータブルＭＤプレーヤ５０が装着されたか否かを判断する（Ｓ１１）。
【００４９】
Ｓ１１において、ポータブルＭＤプレーヤ５０が装着されていないと判断した場合はＳ１５の処理に移行し、装着されたと判断した場合は切換スイッチ１５２ａを端子Ａに接続する（Ｓ１２）。次に、充電制御回路１５１ａから充電状態を示す情報を取得し（Ｓ１３）、この情報から充電が完了又は中断されたか否かを判断する（Ｓ１４）。Ｓ１４において、充電中と判断した場合はＳ１３の処理に戻り、充電が完了又は中断されたと判断した場合はＳ１５の処理に移行する。
【００５０】
Ｓ１５において、電圧検出回路１５４によって検出された電圧値を取得し、上述したＳ１１の処理と同様に充電池６０が装着されたか否かを判断する（Ｓ１６）。
【００５１】
Ｓ１６において、充電池６０が装着されていないと判断した場合はＳ２０の処理に移行し、装着されたと判断した場合は切換スイッチ１５２ａを端子Ｂに接続する（Ｓ１７）。次に、充電制御回路１５１ａから充電状態を示す情報を取得し（Ｓ１８）、この情報から充電が完了又は中断されたか否かを判断する（Ｓ１９）。Ｓ１９において、充電中と判断した場合はＳ１８の処理に戻り、充電が完了又は中断されたと判断した場合は切換スイッチ１５２ａの接続を端子Ｃに接続する（Ｓ２０）。
【００５２】
これによって、ポータブルＭＤプレーヤ５０及び単体の充電池６０の両方が充電台１に装着された場合であっても、ポータブルＭＤプレーヤ５０に搭載された充電池６０の充電が完了した後に単体の充電池６０の充電を行うことができる。したがって、ユーザがポータブルＭＤプレーヤ５０を充電台１から取り外した後、単体の充電池６０を充電台１に装着する手間を省くことができ、ユーザの利便性をより向上させることができる。
【００５３】
なお、本実施形態では、携帯型電子機器の１つであるポータブルＭＤプレーヤ５０を用いて説明したが、携帯電話やＰＤＡ（Personal Digital Assistance）等に適用することもできる。
【図面の簡単な説明】
【００５４】
【図１】この発明の実施形態に係る充電台の構成を示す上面図である。
【図２】同充電台の構成を示す側面断面図である。
【図３】同充電台にポータブルＭＤプレーヤを装着した状態を示す側面断面図である。
【図４】同充電台に充電池を装着した状態を示す側面断面である。
【図５】同充電台に充電池を装着した状態を示す正面図である。
【図６】同充電台に備えられる基板ユニットの簡単な回路構成を示すブロック図である。
【図７】同充電台に備えられる切換スイッチを切り換える手順を示す流れ図である。
【図８】同充電台に備えられる基板ユニットの簡単な回路構成を示すブロック図である。
【図９】同充電台に備えられる基板ユニットの簡単な回路構成を示すブロック図である。
【図１０】同充電台に備えられる基板ユニットの簡単な回路構成を示すブロック図である。
【図１１】同充電台に備えられる基板ユニットの簡単な回路構成を示すブロック図である。
【図１２】同充電台に備えられる切換スイッチを切り換える手順を示す流れ図である。
【符号の説明】
【００５５】
１−充電台
１３−電子機器装着部
１４−充電池装着部
１５−基板ユニット
１７，１８−電池端子
３０−表示部
５０−ポータブルＭＤプレーヤ
６０−充電池
９０−商用電源
１５２，２００−切換制御回路
１５２ａ，２００ａ−切換スイッチ
１５２ｂ，２００ｂ−スイッチコントロール回路
１５３−電圧検出回路
Ａ，Ｂ，Ｃ，Ｓ，Ｔ−端子
【図１】
2006141163.tif 000003
【図２】
2006141163.tif 000004
【図３】
2006141163.tif 000005
【図４】
2006141163.tif 000006
【図５】
2006141163.tif 000007
【図６】
2006141163.tif 000008
【図７】
2006141163.tif 000009
【図８】
2006141163.tif 000010
【図９】
2006141163.tif 000011
【図１０】
2006141163.tif 000012
【図１１】
2006141163.tif 000013
【図１２】
2006141163.tif 000014